【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
感光体に形成された潜像を現像剤で現像する現像手段と、
矩形波を出力するパルス期間と矩形波を出力しないブランク期間とを有する波形をした現像交流バイアス電圧を前記現像手段に供給する供給手段と、
を有し、前記供給手段は、
入力信号を変圧して前記現像交流バイアス電圧を形成するためのトランスと、
前記トランスの一次側に入力される前記入力信号として、前記パルス期間から前記ブランク期間へ移行するときに前記パルス期間における矩形波の幅よりも狭い幅の追加パルスを付加した入力信号を発生する入力信号発生手段と、
を備えることを特徴とする画像形成装置。
【請求項２】
前記入力信号発生手段は、前記入力信号の前記パルス期間に対応する各矩形波の先頭付近に所定幅のオフ期間を設けることを特徴とする請求項１記載の画像形成装置。
【請求項３】
前記パルス期間から前記ブランク期間へ移行するときに付加される前記追加パルスの幅は、前記パルス期間における複数の矩形波のうち最後の矩形波の前記オフ期間の前記所定幅よりも狭いことを特徴とする請求項２記載の画像形成装置。
【請求項４】
前記入力信号発生手段は、
電圧源に対して一端が接続された第１スイッチ手段と、前記第１スイッチ手段の他端に対して一端が接続され、かつ、他端がグランドに接続された第２スイッチ手段と、前記電圧源に対して一端が接続された第３スイッチ手段と、前記第３スイッチ手段の他端に対して一端が接続され、かつ、他端がグランドに接続された第４スイッチ手段とにより構成されたフルブリッジ回路を備え、
前記トランスの一次側の第１端子が前記第１スイッチ手段の他端と前記第２スイッチ手段の一端とに接続され、かつ、前記一次側の第２端子が前記第３スイッチ手段の他端と前記第４スイッチ手段の一端とに接続されることを特徴とする請求項１ないし３の何れか１項に記載の画像形成装置。
【請求項５】
前記入力信号発生手段は、
前記入力信号のうち１番目の半周期分の矩形波を前記交流電圧発生手段に出力させるために、前記第１スイッチ手段と前記第４スイッチ手段の各駆動端子に第１駆動信号を出力し、前記入力信号のうち２番目の半周期分の矩形波を前記交流電圧発生手段に出力させるために、前記第２スイッチ手段と前記第３スイッチ手段の各駆動端子に第２駆動信号を出力する駆動信号発生手段と
を備え、
前記第１駆動信号は、前記第１スイッチ手段と前記第４スイッチ手段とをともにオンさせる第１のオン期間と、前記第１スイッチ手段と前記第４スイッチ手段とをともにオフさせるオフ期間と、前記第１スイッチ手段と前記第４スイッチ手段とをともにオンさせる第２のオン期間とを有し、
前記第２駆動信号は、前記第２スイッチ手段と前記第３スイッチ手段とをともにオンさせる第１のオン期間と、前記第２スイッチ手段と前記第３スイッチ手段とをともにオフさせるオフ期間と、前記第２スイッチ手段と前記第３スイッチ手段とをともにオンさせる第２のオン期間とを有し、
前記第１駆動信号の第１のオン期間の長さと前記第２駆動信号の第１のオン期間の長さが異なっており、前記第１駆動信号のオフ期間の長さと前記第２駆動信号のオフ期間の長さが異なっており、前記第１駆動信号の第２のオン期間の長さと前記第２駆動信号の第２のオン期間の長さとが異なっており、かつ、前記第１駆動信号の第１のオン期間の長さよりも前記第２駆動信号の第１のオン期間の長さが長いことを特徴とする請求項４に記載の画像形成装置。
【請求項６】
前記駆動信号発生手段は、前記入力信号を前記パルス期間から前記ブランク期間へ移行するときに、前記第２スイッチ手段と前記第３スイッチ手段に第３駆動信号を出力するものであり、
前記第３駆動信号は、前記第２スイッチ手段と前記第３スイッチ手段とをともにオフさせるオフ期間と、前記第２スイッチ手段と前記第３スイッチ手段とをともにオンさせるオン期間とを有し、
前記第１駆動信号の第１のオン期間の長さと、前記第２駆動信号の第１のオン期間の長さと、前記第３駆動信号のオフ期間の長さが異なっており、前記第１駆動信号のオフ期間の長さと、前記第２駆動信号のオフ期間の長さと、前記第３駆動信号のオン期間の長さが異なっていることを特徴とする請求項５に記載の画像形成装置。
【請求項７】
前記駆動信号発生手段は、前記第１駆動信号の継続期間と前記第２駆動信号の継続期間との比が、前記第２駆動信号に対応して出力される半波の最大振幅と前記第１駆動信号に対応して出力される半波の最大振幅との比と等しくなるように、前記第１駆動信号と前記第２駆動信号とを出力することを特徴とする請求項５または６に記載の画像形成装置。
【請求項８】
前記トランスの１次側の第１端子は、前記第１スイッチ部の他端と前記第２スイッチ部の一端とにキャパシタを介して接続されることを特徴とする請求項４に記載の画像形成装置。
【手続補正２】
【補正対象書類名】図面
【補正対象項目名】図３
【補正方法】変更
【補正の内容】
【図３】
2012068409.tif 000001
【手続補正３】
【補正対象書類名】明細書
【補正対象項目名】発明の名称
【補正方法】変更
【補正の内容】
【発明の名称】画像形成装置
【手続補正４】
【補正対象書類名】明細書
【補正対象項目名】００１０
【補正方法】変更
【補正の内容】
【００１０】
本発明によれば、感光体に形成された潜像を現像剤で現像する現像手段と、
矩形波を出力するパルス期間と矩形波を出力しないブランク期間とを有する波形をした現像交流バイアス電圧を前記現像手段に供給する供給手段と、
を有し、前記供給手段は、
入力信号を変圧して前記現像交流バイアス電圧を形成するためのトランスと、
前記トランスの一次側に入力される前記入力信号として、前記パルス期間から前記ブランク期間へ移行するときに前記パルス期間における矩形波の幅よりも狭い幅の追加パルスを付加した入力信号を発生する入力信号発生手段と、
を含むことを特徴とする画像形成装置が提供される。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明によれば、第１駆動信号と第２駆動信号との関係を上述した関係とすることで、ブランクパルス波形のパルス期間において最初に発生する半波の歪みを低減できるようになる。また、第１駆動信号、第２駆動信号および第３駆動信号との関係を上述した関係とすることで、ブランクパルス波形のブランク期間に移行する際の歪みを低減できるようになる。このように、本発明によれば、ブランクパルス波形の形状の歪みを抑制することで、ダンピング抵抗に対する依存性を低下させつつ、安定な現像性を達成することができる。
【手続補正７】
【補正対象書類名】明細書
【補正対象項目名】００１９
【補正方法】変更
【補正の内容】
【００１９】
図３にブランクパルス波形を生成する際における半導体スイッチング素子Ｑ１、Ｑ２、Ｑ３、Ｑ４へのゲート信号と、トランスＴ１の一次側に入力される信号と、トランスＴ１の二次側の出力電圧波形を示す。このブランクパルス波形は、パルス期間に２つのパルス（矩形波）とブランク期間に２つのブランクを有している。駆動信号発生回路２０２は、上位ＣＰＵから作像を開始するためのブランクパルス出力命令を受信すると、半導体スイッチング素子Ｑ１、Ｑ２、Ｑ３、Ｑ４を駆動するための駆動信号（ゲート信号）を出力する。ゲート信号の半周期は、第１のオン期間、オフ期間および第２のオン期間といった駆動パターンにより構成されている。第１のオン期間、オフ期間および第２のオン期間の割合を適宜調整することで、ブランクパルス波形の出力開始時の歪みと、出力終了時の歪みとを低減する。とりわけ、オフ期間の長さを調整することで共振波形を低減することができる。
【手続補正８】
【補正対象書類名】明細書
【補正対象項目名】００２９
【補正方法】変更
【補正の内容】
【００２９】
本実施例によれば、第１のオン期間である期間Ｔ１と期間Ｔ４（Ｔ４'およびＴ４''）を異なる長さとし、オフ期間である期間Ｔ２と期間Ｔ５（Ｔ５'およびＴ５''）を異なる長さとし、かつ、矩形波の出力を終了する期間である期間Ｔ７と期間Ｔ８をゲート信号の駆動パターンに追加している。図３によれば、トランスＴ１の一次側入力信号のうち破線で囲んだ部分に追加パルスが付加されていることが分かる。これにより、ダンピング抵抗に頼ることなく、所望のブランクパルス波形を出力できるようになる。ブランクパルス波形の歪みが低減した電源装置２００から現像スリーブ４１へ現像バイアスを供給することで、安定した現像性を達成できる。
【手続補正９】
【補正対象書類名】明細書
【補正対象項目名】００２１
【補正方法】変更
【補正の内容】
【００２１】
図３によれば、第１のオン期間である期間Ｔ１において、駆動信号発生回路２０２は、Ｑ１とＱ４のゲート信号をオンとする。これにより、トランスＴ１から正の出力電圧の出力が開始される。オフ期間である期間Ｔ２において、駆動信号発生回路２０２は、共振波形を抑制するため、Ｑ１とＱ４へのゲート信号をオフにする。第２のオン期間である期間Ｔ３において、駆動信号発生回路２０２は、Ｑ１とＱ４へのゲート信号をオンとする。このように期間Ｔ１ないしＴ３で、出力電圧は、０Ｖから正の目標値Ｖｔａｒ＋へ立ち上がった矩形波となる。なお、期間Ｔ１ないしＴ３の和は、矩形波の半周期に相当する。この半周期をＴｈ＋と呼ぶことにする。このように、駆動信号発生回路２０２は、ブランクパルス波形のうち１番目の半周期分の矩形波を交流電圧発生手段に出力させるために、４つのスイッチ手段のうち第１スイッチ手段と第４スイッチ手段に第１駆動信号を出力する駆動信号発生手段として機能する。
【手続補正１０】
【補正対象書類名】明細書
【補正対象項目名】００２６
【補正方法】変更
【補正の内容】
【００２６】
期間Ｔ７において、駆動信号発生回路２０２は、パルス期間からブランク期間へと移行するため、Ｑ１、Ｑ２、Ｑ３、Ｑ４へ供給されるゲート信号のすべてをオフにする。期間Ｔ８において、駆動信号発生回路２０２は、共振波形を抑制するため、Ｑ２とＱ３に供給されるゲート信号をオンにする。その後、駆動信号発生回路２０２は、Ｑ２へのゲート信号をオフにする。このようにゲート信号を制御することにより、期間Ｔ７ないしＴ８で、出力電圧はＶｔａｒ−から制御上の目標値である０Ｖに移行する。このように、駆動信号発生回路２０２は、ブランクパルス波形をパルス期間から休止期間へ移行させるために、第２スイッチ手段と第３スイッチ手段に第３駆動信号を出力する駆動信号発生手段として機能する。
【手続補正１１】
【補正対象書類名】明細書
【補正対象項目名】００３１
【補正方法】変更
【補正の内容】
【００３１】
図４によれば、パルス期間の最初に出力される半波分のゲート信号の第１のオン期間、オフ期間および第２のオン期間の割合と、その後に出力されるゲート信号の第１のオン期間、オフ期間および第２のオン期間の割合とが異なっていることがわかる。さらに、図４によれば、パルス期間からブランク期間へ移行する際に、共振波形を抑制するための期間Ｔ７、期間Ｔ８が採用されていることもわかる。さらに、図４と図８とを比較すると、本実施例ではパルス期間の始期とブランク期間の始期における歪みが十分に抑制されていることがわかる。